(57)【要約】【課題】  多孔性であって、凝集効果の極めて優れた無機凝集剤を採用することを前提として、安価に原水を処理することが可能であり、しかも処理後の沈殿泥が土壌として再使用が可能である前記凝集剤の最適の汚濁水の処理装置を提供する。【解決手段】  原水を取り入れるとともに凝集剤を添加して攪拌する攪拌槽２と、該攪拌槽２に凝集剤を添加する凝集剤供給機３と、少なくとも一つの沈殿槽４とからなる処理装置において、前記凝集剤供給機３には、原水の濁度を測定する測定器２２による測定値と処理水の濁度を測定する測定器４１による測定値とに基づいて凝集剤の添加量を調整することができる供給量調整機能を備えている。【選択図】  図１
2005034821.tif 000002
【特許請求の範囲】
【請求項１】
原水を取り入れるとともに凝集剤を添加して攪拌する攪拌槽と、該攪拌槽に凝集剤を添加する凝集剤供給機と、少なくとも一つの沈殿槽とからなる処理装置において、前記凝集剤供給機には、原水の濁度を測定する測定器による測定値と処理水の濁度を測定する測定器による測定値とに基づいて凝集剤の添加量を調整することができる供給量調整機能を備えていることを特徴とする汚濁水の処理装置。
【請求項２】
前記凝集剤供給機は、ホッパーとスクリュー型定量供給器とからなり、前記ホッパーにはブロッキングの生じやすい凝集剤を水平方向に攪拌する攪拌器と凝集剤を流動状態とするための気体吹き込み器とを備えており、前記スクリュー型定量供給器には、凝集剤の供給量調整可能な器具を備えていることを特徴とする請求項１記載の汚濁水の処理装置。
【請求項３】
前記攪拌槽と、前記凝集剤供給機と、前記沈殿槽とは、それぞれ車載可能に分離しており、前記攪拌槽は原水の水源と連結可能な濁水流入管を備えており、前記攪拌槽の上には前記凝集剤供給機が載置、固定可能となされており、前記攪拌槽の側面には沈殿槽が上部においてオーバーフロー用部材にて連設可能となされていることを特徴とする請求項１記載の汚濁水の処理装置。
【発明の詳細な説明】
【技術分野】
【０００１】  本発明は、無機凝集剤を用いて汚濁水の固液分離を行う装置、特に沈降分離装置に属する処理装置に関するものである。
【背景技術】
【０００２】  汚濁水の浄化方法の基本的な手段は、凝集剤の使用によって汚濁水の汚濁を凝集させたのち、沈降させるか、気泡の浮力を利用して浮上させて凝集した汚濁を分離する手段であり、汚濁水の浄化の手段としては、最も安価であり、最も広く使用されているところである。しかし、この手段では凝集剤の選択が重要な要素となっており、安価に速やかに汚濁を除去することが重要点である。【０００３】  凝集剤としては、無機系凝集剤、有機系凝集剤があるが、有機系凝集剤を使用した場合には、処理水から分離した沈殿泥に有機系凝集剤が混入していると、土壌として使用するには不適であるので、その廃棄処分が高価となり、そのまま放置すれば、公害のおそれがある。一方、無機系凝集剤を使用した場合には、処理水から分離した沈殿泥は土壌として使用することが可能であるので、土壌として還元、使用することが可能であるが、一般的に凝集効果が有機系凝集剤よりは劣るため、多量の凝集剤を要し、高価となる欠点があった（例えば特許文献１参照）。
【特許文献１】          特開２００１−３４０８６９号公報
【発明の開示】
【発明が解決しようとする課題】
【０００４】  本発明は、かかる現状に鑑み、多孔性であって、凝集効果の極めて優れた無機凝集剤を採用することを前提として、安価に原水を処理することが可能であり、しかも処理後の沈殿泥が土壌として再使用が可能である前記凝集剤の最適の汚濁水の処理装置を提供することを目的とするものである。
【課題を解決するための手段】
【０００５】  本発明は、上記の目的を達成するものであって、請求項１の発明は、原水を取り入れるとともに、凝集剤を添加して攪拌する攪拌槽と、該攪拌槽に凝集剤を添加する凝集剤供給機と、少なくとも一つの沈殿槽とからなる処理装置において、前記凝集剤供給機には、原水の濁度を測定する測定器による該測定値と処理水の濁度を測定する測定器による測定値とに基づいて凝集剤の添加量を調整することができる供給量調整機能を備えていることを特徴とする汚濁水の処理装置である。【０００６】  請求項２記載の発明は、前記凝集剤供給機は、ホッパーとスクリュー型定量供給器とからなり、前記ホッパーにはブロッキングの生じやすい凝集剤を水平方向に攪拌する攪拌器と凝集剤を流動状態とするための気体吹き込み器とを備えていることを特徴とする汚濁水の処理装置である。【０００７】  請求項３記載の発明は、前記攪拌槽と、前記凝集剤供給機と、前記沈殿槽とは、それぞれ車載可能に分離しており、前記攪拌槽は原水の水源と連結可能な濁水流入管を備えており、前記攪拌槽の上には前記凝集剤供給機が載置、固定可能となされており、前記攪拌槽の側面には沈殿槽が上部においてオーバーフロー用部材にて連設可能となされていることを特徴とする請求項１記載の汚濁水の処理装置である。
【発明の効果】
【０００８】  本発明の装置によれば、多孔性であって、凝集効果の極めて優れた無機凝集剤を採用することにより、安価に効率良く原水を処理することが可能であり、しかも処理後の沈殿泥が土壌として再使用が可能である前記凝集剤の最適の汚濁水の処理装置を提供することが可能である。得られた汚泥は、土壌として再使用が可能であるのみならず、無機系の凝集剤として肥料としての効果を奏する無機系の凝集剤を使用する場合には、土壌改良剤として非常に安価に販売することも可能である。
【発明を実施するための最良の形態】
【０００９】  以下、本発明を具体的に説明する。
本発明の汚濁水の処理装置１は、図１〜３に示すように、原水を取り入れるとともに、凝集剤を添加して攪拌する攪拌槽２と、該攪拌槽２に凝集剤を添加する凝集剤供給機３と、少なくとも一つの沈殿槽４とからなるものである。本発明の処理装置１は、活性汚泥処理の必要な有機物の含有量は少ないが、濁度の大きい成分を多量に含有する濁水、例えば微細な土質のもので、視覚的にひどく汚れが見える汚濁水、特に河川工事などの浚渫などのさいに生じる泥水などの濁度の大きい濁水処理に最適である。【００１０】  前記攪拌槽２は、原水を取り入れる原水流入管２１を有しており、この原水流入管２１には原水の濁度を測定する測定器２２を備えている。この測定器２２としては、光学的に透過度を測定する測定器を使用することができるが、このほか各種の測定器を使用することができる。測定位置は、原水の濁度を測定することができる範囲で所望の位置に変更可能である。攪拌槽２には、凝集剤を攪拌する攪拌機２３を備えており、攪拌機２３としては、各種の攪拌機を使用することができる。図１〜３においては上方に攪拌モータ２４を備え、垂直に下方に垂設した攪拌軸２５を中心にして水平方向に攪拌する攪拌機を示したが、これに限らない。【００１１】  前記凝集剤供給機３は、攪拌槽２に凝集剤を添加するものであって、これには、原水の濁度を測定する測定器２２による該測定値と処理水の濁度を測定する測定器４１による測定値とに基づいて凝集剤の添加量を調整することができる供給量調整機能を備えている。過度の凝集剤を添加することを防止するために、予め原水の濁度を測定しておき、その測定値に基づいて概略の凝集剤の添加量を決定する。なお、原水の濁度は、処理水の濁度に比して大きいため、測定誤差が生じることや、原水の各種性質の変動などにより必要凝集剤の添加量が変動するため、原水の濁度の測定値だけでは、凝集剤の添加量を正確には調整しにくいので、さらに、処理水の濁度を測定することが必要であり、従って最終的な凝集剤の添加量は処理水の濁度の測定器４１の測定値によって微調整することができる。【００１２】  本発明で使用する凝集剤は、水中で沈降性であって、しかも微細な空隙を多く有する構造（多孔性）を有していて吸着性の良いものであって、凝集効果の極めて優れた無機凝集剤であって、多孔性であるためにブロッキングしやすい性質を有するものである。多孔性であるので、活性炭のように吸着性に優れているものである。その一例は、ブライオゾーアまたはこれに無機添加剤を添加したものであって、ブライオゾーアは苔虫類の化石を約１０００℃の高温で処理して１ｍｍ以下の粉末に破砕したもので、多孔性であって、活性炭よりも優れた汚濁物質に対する吸着性を有する。しかも、アルミニウム、鉄成分を含む無機塩や土質固体微粉なども含有するので、浮遊粒子の荷電中和作用をもつので、凝集効果においても優れた作用効果を奏するものである。ブライオゾーアにゼオライト、天然鉱物の複合アルミナ珪酸塩などをを添加して凝集効果を高めることも可能である。【００１３】  前記凝集剤供給機３は図４〜６に示すように、ホッパー３１とスクリュー型定量供給器３２とからなり、前記ホッパー３１にはブロッキングの生じやす���凝集剤を水平方向に攪拌する攪拌翼３３と攪拌モータ３４と下方から上方に向けて流動状態を形成するための気体吹込ポンプ３５と気体吹込パイプ３６とを備えている。
ホッパー３１は上方から凝集剤を供給することができる凝集剤供給タンク３７を備えており、凝集剤は上方から下方へと移動して下方の開口部３８からスクュー型定量供給器３２へと移送されるようになされている。凝集剤の均等な移動を可能とするために、水平方向に攪拌し得るように垂直に取付られた軸を中心に回動する攪拌翼３３が設置されている。さらに、凝集剤のブロッキング性をさらに回避して均等な凝集剤の移動を可能とするために、下方の開口部３８またはそのやや上方には気体吹込パイプ３６の開口部が設置されている。これにより、吹き込まれた気体によって凝集剤は流動状態となされて、ブロッキングすることなく、スムースに開口部３８からスクュー型定量供給器３２へと移送されることとなる。【００１４】  スクリュー型定量供給器３２は、上方から落下してきた凝集剤を順次、スクリュー（スパイラルギヤ）３２１の回転によって、先端近傍の開口部３９へと移送するものであって、スクリューの回転速度が一定であれば、凝集剤を定量で攪拌槽に供給することができるものである。なお、スクリューの回転速度はモーター（ギヤ回転モータ）３２２の回転速度によって変更可能に設定されており、モーターの回転速度は原水の濁度を測定する測定器２２による該測定値と処理水の濁度を測定する測定器４１による測定値とに基づく演算データに基づいて凝集剤の添加量を調整することができるようになされている。【００１５】  沈殿槽４は、攪拌槽２にオーバーフロー用のコ字状の通路、パイプ等の部材４２等を介して連設されており、一槽またはそれ以上の槽が連設されるが、図においては２槽の沈殿槽４，４が連設されている。凝集剤と濁度成分が凝集したフロックは、ここで沈降して底部に集積し、ドレンバルブ４３によって取り出される一方、フロックから分離された水は排水管４４から外部へと流出され、放流される。なお、図１〜３において、４５は沈殿槽４の一部を仕切る仕切りであって、これにより被処理水の上下移動を促進することによって、凝集剤との接触効率およびフロックの分離効率を向上させるためのものである。４６は透明素材からなる窓であって、外部から監視可能とするものであり、４７は被処理水の取出用バルブである。これらにより監視することによって、必要に応じて凝集剤の添加量の一層の微調整を可能とすることができる。また、４８は凝集剤供給機３への凝集剤の供給のためのステップであり、４９は手すりである。【００１６】  本発明で使用する凝集剤は約１．６の比重を有する沈降性のものであるため、生じたフロックも沈降性であり、底部に集積する。底部に集積した沈殿泥は定期的に外部へと取り出される。この沈殿泥は無機凝集剤で処理されているため、現場の土の必要個所に戻して使用することができる。無機凝集剤としてブライオゾーア系凝集剤を使用した場合には、肥料としての効果もあるので、農業用土壌改良材として使用することも可能である。
【図面の簡単な説明】
【００１７】
【図１】本発明の処理装置の一例を示す正断面図である。
【図２】図１の処理装置の平面図である。
【図３】図１の処理装置の平面図である。
【図４】本発明の処理装置に使用する凝集剤供給機の一例を示す一部切欠正面図である。
【図５】図４の凝集剤供給機の側面図である。
【図６】図４の凝集剤供給機の平面図である。
【符号の説明】
【００１８】１    汚濁水の処理装置
２    攪拌槽
２１  原水流入管
２２  測定器
２３  攪拌機
２４  攪拌モータ
２５  攪拌軸
３    凝集剤供給機
３１  ホッパー
３２  スクリュー型定量供給器
３３  攪拌翼
３４  攪拌モータ
３５  気体吹込ポンプ
３６  気体吹込パイプ
３７  凝集剤供給タンク
３８  開口部
３９  開口部
４    沈殿槽
４１  測定器
４２  オーバーフロー用部材
４３  ドレンバルブ
４４  排水管
４５  仕切り
４６  窓
４７  被処理水の取出用バルブ
４８  ステップ
４９  手すり
【図１】
2005034821.tif 000003
【図２】
2005034821.tif 000004
【図３】
2005034821.tif 000005
【図４】
2005034821.tif 000006
【図５】
2005034821.tif 000007
【図６】
2005034821.tif 000008